【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
識別情報に紐づけられた受精卵のタイムラプス画像及び遺伝子解析情報を取得する取得部と、
受精卵のタイムラプス画像及び遺伝子解析情報を用いて生成された識別器に対して、前記識別情報に紐づけられた受精卵のタイムラプス画像及び遺伝子解析情報を適用することによって、前記識別情報に紐づけられた受精卵の受精卵解析情報を生成する解析部と
を具備する受精卵解析システム。
【請求項２】
請求項１に記載の受精卵解析システムであって、
前記識別情報と前記受精卵解析情報とを含む評価支援情報を出力する出力部をさらに具備する
受精卵解析システム。
【請求項３】
請求項１に記載の受精卵解析システムであって、
前記遺伝子解析情報は、ＳＮＰ（Single Nucleotide Polymorphism）解析によって得られる情報である
受精卵解析システム。
【請求項４】
請求項２に記載の受精卵解析システムであって、
前記解析部は、前記評価支援情報に基づき選定された受精卵に関する経過情報を用いて前記識別器を再構築する
受精卵解析システム。
【請求項５】
請求項４に記載の受精卵解析システムであって、
前記経過情報は、前記選定された受精卵に関する移植情報を含む
受精卵解析システム。
【請求項６】
請求項１に記載の受精卵解析システムであって、
ネットワークを介して、前記識別情報に紐づけられた受精卵のタイムラプス画像及び遺伝子解析情報を送信可能に構成された端末装置をさらに具備する
受精卵解析システム。
【請求項７】
請求項１に記載の受精卵解析システムであって、
前記取得部は、前記識別情報として、受精卵となる精子及び卵子に関する情報と、受精卵に関する交配情報と、受精卵を培養する培養容器に関する情報の少なくとも１つをさらに取得する
受精卵解析システム。
【請求項８】
請求項７に記載の受精卵解析システムであって、
前記培養容器に関する情報は、前記培養容器の配置に関する情報又は受精卵の配置に関する情報の少なくとも１つである
受精卵解析システム。
【請求項９】
請求項２に記載の受精卵解析システムであって、
前記取得部、前記解析部、前記出力部を有するウェブサーバを具備する
受精卵解析システム。
【請求項１０】
請求項９に記載の受精卵解析システムであって、
前記ウェブサーバと相互に通信可能に接続され、前記遺伝子解析情報を生成する遺伝子解析装置をさらに具備する
受精卵解析システム。
【請求項１１】
請求項１に記載の受精卵解析システムであって、
前記識別器は、前記受精卵のタイムラプス画像と前記遺伝子解析情報と前記受精卵のタイムラプス画像に基づく動き情報とを含む学習データを用いて生成された識別器である
受精卵解析システム。
【請求項１２】
請求項１１に記載の受精卵解析システムであって、
前記動き情報は、受精卵の細胞内の時系列に沿った動き量の変化に関する情報である
受精卵解析システム。
【請求項１３】
請求項１に記載の受精卵解析システムであって、
前記受精卵解析情報は、受精卵の移植に関する情報を含む
受精卵解析システム。
【請求項１４】
請求項１１に記載の受精卵解析システムであって、
前記学習データは、受精卵の品質情報、受精卵の形状情報、受精卵のコンパクション情報、受精卵の収縮情報、受精卵の拡張情報又は受精卵の活動休止情報の少なくとも１つをさらに含む
受精卵解析システム。
【請求項１５】
請求項１に記載の受精卵解析システムであって、
前記解析部は、前記受精卵解析情報として、受精卵を撮像した撮像時間、受精卵の発育時間、受精卵の品質情報、受精卵の形状情報、受精卵の動き情報、受精卵のコンパクション情報、受精卵の収縮情報、受精卵の拡張情報又は受精卵の活動休止情報の少なくとも１つを生成する
受精卵解析システム。
【請求項１６】
識別情報に紐づけられた受精卵のタイムラプス画像及び遺伝子解析情報を取得する取得部と、
受精卵のタイムラプス画像及び遺伝子解析情報を用いて生成された識別器に対して、前記識別情報に紐づけられた受精卵のタイムラプス画像及び遺伝子解析情報を適用することによって、前記識別情報に紐づけられた受精卵の受精卵解析情報を生成する解析部と
を有する情報処理装置。
【請求項１７】
識別情報に紐づけられた受精卵のタイムラプス画像及び遺伝子解析情報を取得し、
受精卵のタイムラプス画像及び遺伝子解析情報を用いて生成された識別器に対して、前記識別情報に紐づけられた受精卵のタイムラプス画像及び遺伝子解析情報を適用することによって、前記識別情報に紐づけられた受精卵の受精卵解析情報を生成する
情報処理方法。
【請求項１８】
識別情報に紐づけられた受精卵のタイムラプス画像及び遺伝子解析情報を取得するステップと、
受精卵のタイムラプス画像及び遺伝子解析情報を用いて生成された識別器に対して、前記識別情報に紐づけられた受精卵のタイムラプス画像及び遺伝子解析情報を適用することによって、前記識別情報に紐づけられた受精卵の受精卵解析情報を生成するステップと
を情報処理装置に実行させるプログラム。
【手続補正２】
【補正対象書類名】明細書
【補正対象項目名】発明の名称
【補正方法】変更
【補正の内容】
【発明の名称】受精卵解析システム、情報処理装置、情報処理方法及びプログラム
【手続補正３】
【補正対象書類名】明細書
【補正対象項目名】０００１
【補正方法】変更
【補正の内容】
【０００１】
本技術は、例えば受精卵等の細胞の品質評価結果を提供可能な受精卵解析システム、情報処理装置、情報処理方法及びプログラムに関する。
【手続補正４】
【補正対象書類名】明細書
【補正対象項目名】０００５
【補正方法】変更
【補正の内容】
【０００５】
以上のような事情に鑑み、本技術の目的は、例えば、高精度に評価された受精卵の品質評価結果が得られる受精卵解析システム、情報処理装置、情報処理方法及びプログラムを提供することにある。
【手続補正５】
【補正対象書類名】明細書
【補正対象項目名】０００６
【補正方法】変更
【補正の内容】
【０００６】
上記目的を達成するため、本技術の一形態に係る受精卵解析システムは、取得部と、解析部とを具備する。
上記取得部は、識別情報に紐づけられた受精卵のタイムラプス画像及び遺伝子解析情報を取得する。
上記解析部は、受精卵のタイムラプス画像及び遺伝子解析情報を用いて生成された識別器に対して、上記識別情報に紐づけられた受精卵のタイムラプス画像及び遺伝子解析情報を適用することによって、上記識別情報に紐づけられた受精卵の受精卵解析情報を生成する。
【手続補正６】
【補正対象書類名】明細書
【補正対象項目名】０００７
【補正方法】変更
【補正の内容】
【０００７】
上記受精卵解析システムは、上記識別情報と上記受精卵解析情報とを含む評価支援情報を出力する出力部をさらに具備してもよい。
【手続補正７】
【補正対象書類名】明細書
【補正対象項目名】０００８
【補正方法】変更
【補正の内容】
【０００８】
上記遺伝子解析情報は、ＳＮＰ（Single Nucleotide Polymorphism）解析によって得られる情報であってもよい。
【手続補正８】
【補正対象書類名】明細書
【補正対象項目名】０００９
【補正方法】変更
【補正の内容】
【０００９】
上記解析部は、上記評価支援情報に基づき選定された受精卵に関する経過情報を用いて上記識別器を再構築してもよい。
【手続補正９】
【補正対象書類名】明細書
【補正対象項目名】００１０
【補正方法】変更
【補正の内容】
【００１０】
上記経過情報は、上記選定された受精卵に関する移植情報を含んでもよい。
【手続補正１０】
【補正対象書類名】明細書
【補正対象項目名】００１１
【補正方法】変更
【補正の内容】
【００１１】
上記受精卵解析システムは、ネットワークを介して、上記識別情報に紐づけられた受精卵のタイムラプス画像及び遺伝子解析情報を送信可能に構成された端末装置をさらに具備してもよい。
【手続補正１１】
【補正対象書類名】明細書
【補正対象項目名】００１２
【補正方法】変更
【補正の内容】
【００１２】
上記取得部は、上記識別情報として、受精卵となる精子及び卵子に関する情報と、受精卵に関する交配情報と、受精卵を培養する培養容器に関する情報の少なくとも１つをさらに取得してもよい。
【手続補正１２】
【補正対象書類名】明細書
【補正対象項目名】００１３
【補正方法】変更
【補正の内容】
【００１３】
上記培養容器に関する情報は、上記培養容器の配置に関する情報又は受精卵の配置に関する情報の少なくとも１つであってもよい。
【手続補正１３】
【補正対象書類名】明細書
【補正対象項目名】００１４
【補正方法】変更
【補正の内容】
【００１４】
上記受精卵解析システムは、上記取得部、上記解析部、上記出力部を有するウェブサーバを具備してもよい。
【手続補正１４】
【補正対象書類名】明細書
【補正対象項目名】００１５
【補正方法】変更
【補正の内容】
【００１５】
上記受精卵解析システムは、上記ウェブサーバと相互に通信可能に接続され、上記遺伝子解析情報を生成する遺伝子解析装置をさらに具備してもよい。
【手続補正１５】
【補正対象書類名】明細書
【補正対象項目名】００１６
【補正方法】変更
【補正の内容】
【００１６】
上記識別器は、上記受精卵のタイムラプス画像と前記遺伝子解析情報と上記受精卵のタイムラプス画像に基づく動き情報とを含む学習データを用いて生成された識別器であってもよい。
【手続補正１６】
【補正対象書類名】明細書
【補正対象項目名】００１７
【補正方法】変更
【補正の内容】
【００１７】
上記動き情報は、受精卵の細胞内の時系列に沿った動き量の変化に関する情報であってもよい。
【手続補正１７】
【補正対象書類名】明細書
【補正対象項目名】００１８
【補正方法】変更
【補正の内容】
【００１８】
上記受精卵解析情報は、受精卵の移植に関する情報を含んでもよい。
【手続補正１８】
【補正対象書類名】明細書
【補正対象項目名】００１９
【補正方法】変更
【補正の内容】
【００１９】
上記学習データは、受精卵の品質情報、受精卵の形状情報、受精卵のコンパクション情報、受精卵の収縮情報、受精卵の拡張情報又は受精卵の活動休止情報の少なくとも１つをさらに含んでもよい。
【手続補正１９】
【補正対象書類名】明細書
【補正対象項目名】００２０
【補正方法】変更
【補正の内容】
【００２０】
上記解析部は、上記受精卵解析情報として、受精卵を撮像した撮像時間、受精卵の発育時間、受精卵の品質情報、受精卵の形状情報、受精卵の動き情報、受精卵のコンパクション情報、受精卵の収縮情報、受精卵の拡張情報又は受精卵の活動休止情報の少なくとも１つを生成してもよい。
【手続補正２０】
【補正対象書類名】明細書
【補正対象項目名】００２１
【補正方法】変更
【補正の内容】
【００２１】
上記目的を達成するため、本技術の一形態に係る情報処理装置は、取得部と、解析部とを具備する。
上記取得部は、識別情報に紐づけられた受精卵のタイムラプス画像及び遺伝子解析情報を取得する。
上記解析部は、受精卵のタイムラプス画像及び遺伝子解析情報を用いて生成された識別器に対して、上記識別情報に紐づけられた受精卵のタイムラプス画像及び遺伝子解析情報を適用することによって、上記識別情報に紐づけられた受精卵の受精卵解析情報を生成する。
【手続補正２１】
【補正対象書類名】明細書
【補正対象項目名】００２２
【補正方法】変更
【補正の内容】
【００２２】
上記目的を達成するため、本技術の一形態に係る情報処理方法は、識別情報に紐づけられた受精卵のタイムラプス画像及び遺伝子解析情報を取得し、
受精卵のタイムラプス画像及び遺伝子解析情報を用いて生成された識別器に対して、前記識別情報に紐づけられた受精卵のタイムラプス画像及び遺伝子解析情報を適用することによって、前記識別情報に紐づけられた受精卵の受精卵解析情報を生成する。
【手続補正２２】
【補正対象書類名】明細書
【補正対象項目名】００２３
【補正方法】変更
【補正の内容】
【００２３】
上記目的を達成するため、本技術の一形態に係るプログラムは、以下のステップを情報装置に実行させる。
識別情報に紐づけられた受精卵のタイムラプス画像及び遺伝子解析情報を取得するステップ。
受精卵のタイムラプス画像及び遺伝子解析情報を用いて生成された識別器に対して、上記識別情報に紐づけられた受精卵のタイムラプス画像及び遺伝子解析情報を適用することによって、上記識別情報に紐づけられた受精卵の受精卵解析情報を生成するステップ。
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】変更
【補正の内容】
【００３２】
以上のように、本技術によれば、高精度に評価された受精卵の品質評価結果が得られる受精卵解析システム、情報処理装置、情報処理方法及びプログラムを提供することができる。なお、上記の効果は必ずしも限定的なものではなく、上記の効果とともに、又は、上記の効果に代えて、本明細書に示されたいずれかの効果又は本明細書から把握され得る他の効果が奏されてもよい。